(57)【特許請求の範囲】
【請求項１】
参照信号を処理するための方法であって、
指定されたパイロット位置で、ターゲットユーザ機器(UE)に参照信号を送り、前記指定されたパイロット位置に対応する位置で、属する多地点協調送受信(CoMP)セット内の別のセルが属する進化型NodeB(eNB)によって同時に送られるデータシンボルに対してデータパンクチャリングを実施するステップを備え、
前記指定されたパイロット位置が、前記CoMPセット内の別のセルの参照信号パイロット位置から直交に分離され、前記指定されたパイロット位置および前記参照信号パイロット位置の両方が、サブフレーム数で表わされたパイロット周期およびオフセットと、各サブフレーム内のパイロット座標とを備え、前記CoMPセット内のそれぞれのセルに異なるオフセットおよび同一のパイロット座標が割り当てられ、
前記別のセルが、前記指定されたパイロット位置に対応するセル以外のセルである、方法。
【請求項２】
前記CoMPセット内の前記別のセルの前記参照信号パイロット位置を取得するステップ
をさらに備える、請求項1に記載の参照信号を処理するための方法。
【請求項３】
前記CoMPセット内の前記別のセルの前記参照信号パイロット位置を取得する前記ステップが、
前記CoMPセット内の前記別のセルが属する前記eNBと前記参照信号パイロット位置についてネゴシエーションするステップであって、前記ネゴシエーションの後の前記セルの前記参照信号パイロット位置が、時間周波数領域多重化モードで直交に分離される、ステップ、および
前記CoMPセット内の前記別のセルが属する前記eNBに特定のセルの参照信号パイロット位置を備える情報を送るステップであり、
前記指定されたパイロット位置が、前記ネゴシエーションの後の前記特定のセルの前記参照信号パイロット位置である、請求項2に記載の参照信号を処理するための方法。
【請求項４】
前記指定されたパイロット位置を前記ターゲットUEに通知するステップ
をさらに備える、請求項1に記載の参照信号を処理するための方法。
【請求項５】
前記指定されたパイロット位置を前記ターゲットUEに通知する前記ステップが、
セル識別子(ID)を備える情報を前記ターゲットUEに送るステップであって、前記セルIDが、前記指定されたパイロット位置にバインドされる、ステップまたは
セルIDと、前記CoMPセットの共通の特徴に関連する仮想IDとを備える情報を前記ターゲットUEに送るステップであって、前記セルIDおよび前記仮想IDが、前記指定されたパイロット位置にバインドされる、ステップまたは
前記指定されたパイロット位置を備える上位層のシグナリングを前記ターゲットUEに送るステップである、請求項4に記載の参照信号を処理するための方法。
【請求項６】
参照信号を処理するための方法であって、
指定されたパイロット位置で参照信号を受信するステップであって、前記指定されたパイロット位置に対応する位置でサービスを提供する多地点協調送受信CoMPセット内の別のセルのデータシンボルに対してデータパンクチャリングがそれぞれ実施される、ステップと、
前記別のセルの前記データシンボルの前記データパンクチャリングされた位置を検出せずに、対応するダウンリンクチャネルを検出し、前記参照信号に従って測定するステップとを備え、
前記指定されたパイロット位置が、前記別のセルの参照信号パイロット位置から直交に分離され、前記指定されたパイロット位置および前記参照信号パイロット位置の両方が、サブフレーム数で表わされたパイロット周期およびオフセットと、各サブフレーム内のパイロット座標とを備え、前記CoMPセット内のそれぞれのセルに異なるオフセットおよび同一のパイロット座標が割り当てられ、
前記別のセルが、前記指定されたパイロット位置に対応するセル以外のセルである、参照信号を処理するための方法。
【請求項７】
少なくとも1つのセルの参照信号パイロット位置を取得するステップであって、前記少なくとも1つのセルが、前記サービスを提供する前記CoMPセットに属する、ステップ
をさらに備える、請求項6に記載の参照信号を処理するための方法。
【請求項８】
少なくとも1つのセルの前記参照信号パイロット位置を取得する前記ステップが、
少なくとも1つのセルのセル識別子(ID)を取得するステップと、
前記少なくとも1つのセルIDに対してモジュロ演算を実施することによって、少なくとも1つの対応する参照信号パイロット位置を取得するステップとを備え、
前記指定されたパイロット位置が、前記少なくとも1つの参照信号パイロット位置のうち、参照信号が現在受信されているいずれかの参照信号パイロット位置であり、および/または
少なくとも1つのセルのセルID、および前記CoMPセットの共通の特徴に関連する仮想IDを取得するステップと、
前記少なくとも1対の仮想IDとセルIDに対して計算を実施することによって少なくとも1つの対応する参照信号パイロット位置を取得するステップとを備え、
前記指定されたパイロット位置が、前記少なくとも1つの参照信号パイロット位置のうち、参照信号が現在受信されているいずれかの参照信号パイロット位置であり、および/または
参照信号パイロット位置を備える上位層のシグナリングの少なくとも一部分を受信するステップを備え、
前記指定されたパイロット位置が、前記少なくとも1つの参照信号パイロット位置のうち、参照信号が現在受信されているいずれかの参照信号パイロット位置である、請求項7に記載の参照信号を処理するための方法。
【請求項９】
参照信号を処理するための装置であって、
指定されたパイロット位置で、ターゲットユーザ機器(UE)に参照信号を送るように構成された送信モジュールであって、前記指定されたパイロット位置が、属する多地点協調送受信(CoMP)セット内の別のセルの参照信号パイロット位置から直交に分離され、前記指定されたパイロット位置および前記参照信号パイロット位置の両方が、サブフレーム数で表わされたパイロット周期およびオフセットと、各サブフレーム内のパイロット座標とを備え、前記CoMPセット内のそれぞれのセルに異なるオフセットおよび同一のパイロット座標が割り当てられ、前記別のセルが、前記指定されたパイロット位置に対応するセル以外のセルである、送信モジュール、および/または
送られたデータシンボルに対してデータパンクチャリングを実施するように構成されたパンクチャリングモジュールであって、データパンクチャリングされた位置が、前記CoMPセット内の前記別のセルの少なくとも1つの参照信号パイロット位置に対応する、パンクチャリングモジュールを備える装置。
【請求項１０】
前記CoMPセット内の前記別のセルの前記参照信号パイロット位置を取得するように構成された取得モジュールをさらに備える、請求項9に記載の参照信号を処理するための装置。
【請求項１１】
前記取得モジュールが、
前記CoMPセット内の別のセルが属する進化型NodeB(eNB)と前記参照信号パイロット位置についてネゴシエーションするように構成されたネゴシエーションユニットであって、前記ネゴシエーション後の前記セルの前記参照信号パイロット位置が、時間周波数領域多重化モードで直交に分離される、ネゴシエーションユニットと、
前記CoMPセット内の前記別のセルが属する前記eNBに特定のセルの参照信号パイロット位置を備える情報を送るように構成された通知ユニットとを備え、
前記指定されたパイロット位置が、前記ネゴシエーションユニットによって実施された前記ネゴシエーションの後の前記特定のセルの前記参照信号パイロット位置である、請求項10に記載の参照信号を処理するための装置。
【請求項１２】
前記指定されたパイロット位置を前記ターゲットUEに通知するように構成される通知モジュール
をさらに備える、請求項9に記載の参照信号を処理するための装置。
【請求項１３】
前記通知モジュールが、
セル識別子(ID)を備える情報を前記ターゲットUEに送るように構成された第1の送信ユニットであって、前記セルIDが、前記指定されたパイロット位置にバインドされる、第1の送信ユニット、
セルIDと、前記CoMPセットの共通の特徴に関連する仮想IDとを備える情報を前記ターゲットUEに送るように構成された第2の送信ユニットであって、前記セルIDおよび前記仮想IDが、前記指定されたパイロット位置にバインドされる、第2の送信ユニット、および
前記指定されたパイロット位置を備える上位層のシグナリングを前記ターゲットUEに送るように構成された第3の送信ユニットのうちの少なくとも1つを備える、請求項12に記載の参照信号を処理するための装置。
【請求項１４】
参照信号を処理するための装置であって、
指定されたパイロット位置で参照信号を受信するように構成された受信モジュールであって、前記指定されたパイロット位置に対応する位置でサービスを提供する多地点協調送受信(CoMP)セット内の別のセルの参照信号に対してデータパンクチャリングがそれぞれ実施され、前記指定されたパイロット位置が、前記別のセルの参照信号パイロット位置から直交に分離され、前記指定されたパイロット位置および前記参照信号パイロット位置の両方が、サブフレーム数で表わされたパイロット周期およびオフセットと、各サブフレーム内のパイロット座標とを備え、前記CoMPセット内のそれぞれのセルに異なるオフセットおよび同一のパイロット座標が割り当てられ、前記別のセルが、前記指定されたパイロット位置に対応するセル以外のセルである、受信モジュールと、
前記別のセルのデータシンボルの前記データパンクチャリングされた位置を検出せずに、対応するダウンリンクチャネルを検出し、前記受信モジュールによって受信された前記参照信号に従って測定するように構成された測定モジュールとを備える、参照信号を処理するための装置。
【請求項１５】
少なくとも1つのセルの参照信号パイロット位置を取得するように構成された取得モジュールであって、前記少なくとも1つのセルが、前記サービスを提供する前記CoMPセットに属する、取得モジュール
をさらに備える、請求項14に記載の参照信号を処理するための装置。
【請求項１６】
前記取得モジュールが、
少なくとも1つのセルのセル識別子(ID)を取得するように構成された第1の取得ユニットと、
前記セルIDに対してモジュロ演算を実施することによって、少なくとも1つの対応する参照信号パイロット位置を取得するように構成された第2の取得ユニットとを備え、
前記指定されたパイロット位置が、前記第2の取得ユニットによって得られた前記少なくとも1つの参照信号パイロット位置のうち、参照信号が現在受信されているいずれかの参照信号パイロット位置であり、または
前記取得モジュールが、
少なくとも1つのセルのセルID、および前記CoMPセットの共通の特徴に関連する仮想IDを取得するように構成された第3の取得ユニットと、
前記少なくとも1対の仮想IDとセルIDに対して計算を実施することによって少なくとも1つの対応する参照信号パイロット位置を取得するように構成された第4の取得ユニットとを備え、
前記指定されたパイロット位置が、前記第4の取得ユニットによって得られた前記少なくとも1つの参照信号パイロット位置のうち、参照信号が現在受信されているいずれかの参照信号パイロット位置であり、または
参照信号パイロット位置を備える上位層のシグナリングの少なくとも一部分を受信するように構成された第1の受信ユニットを備え、
前記指定されたパイロット位置が、前記第1の受信ユニットによって受信された少なくとも1つの参照信号パイロット位置のうち、参照信号が現在受信されているいずれかの参照信号パイロット位置である、請求項15に記載の参照信号を処理するための装置。
【請求項１７】
参照信号を処理するためのシステムであって、
指定されたパイロット位置でターゲットユーザ機器(UE)に参照信号を送るように構成された参照信号を処理するための装置であって、前記指定されたパイロット位置が、属する多地点協調送受信(CoMP)セット内の別のセルの参照信号パイロット位置から直交に分離され、前記指定されたパイロット位置および前記参照信号パイロット位置の両方が、サブフレーム数で表わされたパイロット周期およびオフセットと、各サブフレーム内のパイロット座標とを備え、前記CoMPセット内のそれぞれのセルに異なるオフセットおよび同一のパイロット座標が割り当てられ、および/または送られたデータシンボルに対してデータパンクチャリングを実施するように構成され、データパンクチャリングされた位置が、前記CoMPセット内の前記別のセルの少なくとも1つの参照信号パイロット位置に対応する、参照信号を処理するための装置と、
前記指定されたパイロット位置で前記参照信号を受信するように構成されたUEであって、前記指定されたパイロット位置に対応する位置でサービスを提供する前記CoMPセット内の前記別のセルの参照信号に対してデータパンクチャリングが実施され、前記別のセルの前記データシンボルの前記データパンクチャリングされた位置を検出せずに、対応するダウンリンクチャネルを検出し、前記参照信号に従って測定するように構成されたUEとを備え、
前記別のセルが、前記指定されたパイロット位置に対応するセル以外のセルである、参照信号を処理するためのシステム。
【請求項１８】
参照信号を処理するための前記装置が、少なくとも1つの参照信号ポートを介して前記ターゲットUEに前記参照信号を送り、
参照信号を処理するための前記装置によって、前記指定されたパイロット位置で前記ターゲットUEに前記参照信号を送ることが、参照信号を処理するための前記装置によって、前記少なくとも1つの参照信号ポートのうちの参照信号ポートの1つの部分を介して、前記指定されたパイロット位置で前記参照信号を送ることであり、
前記少なくとも1つの参照信号ポートのうちの参照信号ポートの別の部分、および参照信号ポートの前記1つの部分が、それぞれ異なる周期に、各々の対応する参照信号を送り、および/または前記少なくとも1つの参照信号ポートのうちの参照信号ポートの前記別の部分によって参照信号を送るのに使用された期間と、参照信号ポートの前記1つの部分によって参照信号を送るのに使用された期間の長さが異なる、請求項17に記載の参照信号を処理するためのシステム。
【発明の詳細な説明】
【技術分野】
【０００１】
本出願は、その全体が参照により本明細書に組み込まれている、2009年6月29日に中国特許庁に出願された中国特許出願第200910139568.0号、「METHOD, APPARATUS, AND SYSTEM FOR PROCESSING REFERENCE SIGNAL」の優先権を主張するものである。
【０００２】
本発明は、無線通信技術の分野に関し、より詳細には、参照信号を処理するための方法、装置およびシステムに関する。
【背景技術】
【０００３】
無線通信システムでは、効率的な無線リソーススケジューリングを実施するために、進化型NodeB(eNB)は、十分で正確なダウンリンクチャネル情報を取得しなければならない。現在、情報は、ユーザ機器(UE:user equipment)が実施する測定および報告によって取得されている。
【０００４】
測定および報告のための方法は主に、以下を含む。サービスするeNBが、サービスされるUEに特定の参照情報を送り;共通参照信号(CRS:common reference signal)を受信した後に、サービスされるUEが、測定によってダウンリンクチャネル情報を計算し取得し;サービスされるUEが、規則に従って、測定されたダウンリンクチャネル情報を適切に量子化し、量子化されたダウンリンクチャネル情報をeNBにフィードバックする。
【０００５】
さらに、従来技術では、上記方法のためにCRSが定義されている。
【０００６】
無線通信技術の進歩により、多地点協調送受信(CoMP:coordinated multipoint transmission/reception)技術が、業界で導入されている。CoMP技術では、UEにサービスできる複数のセルが、1つのCoMPセットを構成し、CoMPセット内の各セルが属する隣接eNBsは、UEがより高い処理能力を得て、信号伝送効率を高めることができるように、UEにデータ通信サービスを共に提供する。UEが単一のセルによってサービスされる従来のシナリオとは異なるCoMPシナリオでは、UEは、複数のeNBsによって送られた参照信号を測定し、測定によって得られるダウンリンクチャネル情報を複数のeNBsにフィードバックする必要がある。
【０００７】
上記説明に関して、図1は、リンク無線通信システムのシナリオを示している。このシナリオは、セル1、セル2、セル3およびUE 1を含んでおり、セル1がUE 1のサービングセルであり、セル1、セル2およびセル3が共に、UE 1のCoMPセットを形成する。UE 1は、セル1が属するeNBによってUE 1に送られるCRSのパイロット位置を計算し取得するために、サービングセルのCell 1-IDに従ってモジュロ演算を実施し、UE 1は、CRS位置で、セル1が属するeNBによって送られたCRSを受信し、CRSに従ってセル1内のダウンリンクチャネル情報を測定し取得し、ダウンリンクチャネル情報を適切に量子化し、セル1が属するeNBにフィードバックする。図2に示されたように、この図は、セル1が属するeNBのダウンリンクサブフレームの参照信号を表しており、黒いブロックが、送られたCRSを表し、白いブロックがデータシンボルを表し、破線ブロックが、別の目的のために送られた参照信号を表す。
【０００８】
上記の説明によれば、従来技術には少なくとも以下の問題がある。
【０００９】
1.UEは、サービングセルのセルIDに従ってセルのCRSパイロット位置だけを計算し取得することができ、CoMPセット内の別のセルのCRSパイロット位置を取得することができず、したがって、別のセルのCRSに従ってダウンリンクチャネル情報を評価することができない。
【００１０】
2.UEがCoMPセット内の別のセルIDを知っている場合でも、現在の業界では、隣接セルのCRSが互いに衝突しないことを保証するために、パイロット位置をセルIDにバインドする暗黙のマッピングによってセルのダウンリンクパイロット位置をシフトできると規定されている。しかし、その規定に述べられたシフト操作は、CRSがシフトの3つの可能性を有し、すなわちCRSによってUEがせいぜい3つの異なるセルのダウンリンクチャネルを区別できることを保証できるにすぎないが、CoMPセットは一般に、データ伝送において協調することができる複数のセルを含む。この場合、セルのCRSは、互いに衝突する可能性が非常に高く、ダウンリンクチャネルの測定誤差が生じることになる。
【００１１】
3.CoMPセット内のすべてのセルのCRSが互いにずれており(stagger)、衝突しない場合でも、各セルのCRSは、別のセルによって送られたデータシンボルと衝突することがある。たとえば、セル2からのCRSは、セル1からのデータシンボルと衝突する。セル2は、UE 1にとって非サービングセルであるので、セル2からのダウンリンクチャネルの強度は、セル1からのそれより弱い。したがって、データシンボルは、セル2のCRSへの強い干渉を引き起こし、UE 1は、CRSに従ってセル2からのダウンリンクチャネルを正確に測定し取得することができない。
【００１２】
要約すると、CoMPシナリオでは、従来技術の方法は、複数のセルが属するeNBsによって送られたCRSをUEが受信し、CRSに従って複数のチャネルに関する情報を正確に評価し取得することを可能にする要件を満たすことができない。
【発明の概要】
【発明が解決しようとする課題】
【００１３】
本発明の実施形態は、CoMPシナリオにおいてUEが複数のセルのダウンリンクチャネルを測定することを可能にする要件を満たすことができる、参照信号を処理するための方法、装置およびシステムを提供する。
【課題を解決するための手段】
【００１４】
上記目的を達成するために、本発明の諸実施形態は、以下の技術的解決策を採用する。
【００１５】
参照信号を処理するための方法が、
指定されたパイロット位置でターゲットUEに参照信号を送り、指定されたパイロット位置に対応する位置で、UEのCoMPセット内の別のセルが属するeNBによって同時に送られるデータシンボルに対してデータパンクチャリングを実施するステップを含み、
指定されたパイロット位置が、CoMPセット内の別のセルの参照信号パイロット位置から直交に分離され、
前記別のセルが、指定されたパイロット位置に対応するセル以外のセルである。
【００１６】
参照信号を処理するための方法が、
指定されたパイロット位置で参照信号を受信するステップであって、指定されたパイロット位置に対応する位置でサービスを提供するCoMPセット内の別のセルのデータシンボルに対してデータパンクチャリングがそれぞれ実施される、ステップと、別のセルのデータシンボルのデータパンクチャリングされた位置を検出せずに、対応するダウンリンクチャネルを検出し、参照信号に従って測定するステップとを含み、
指定されたパイロット位置が、別のセルの参照信号パイロット位置から直交に分離され、
別のセルが、指定されたパイロット位置に対応するセル以外のセルである。
【００１７】
参照信号を処理するための装置が、
指定されたパイロット位置でターゲットUEに参照信号を送るように構成された送信モジュールであって、指定されたパイロット位置が、UEのCoMPセット内の別のセルの参照信号パイロット位置から直交に分離され、別のセルが、指定されたパイロット位置に対応するセル以外のセルである、送信モジュール、および/または
送られたデータシンボルに対してデータパンクチャリングを実施するように構成されたパンクチャリングモジュールであって、データパンクチャリングされた位置が、CoMPセット内の別のセルの少なくとも1つの参照信号パイロット位置に対応する、パンクチャリングモジュールを含む。
【００１８】
参照信号を処理するための装置が、
指定されたパイロット位置で参照信号を受信するように構成された受信モジュールであって、指定されたパイロット位置に対応する位置でサービスを提供するCoMPセット内の別のセルの信号に対してデータパンクチャリングがそれぞれ実施され、指定されたパイロット位置が、別のセルの参照信号パイロット位置から直交に分離され、別のセルが、指定されたパイロット位置に対応するセル以外のセルである、受信モジュールと、
別のセルのデータシンボルのデータパンクチャリングされた位置を検出せずに、対応するダウンリンクチャネルを検出し、受信モジュールによって受信される参照信号に従って測定するように構成された測定モジュールとを含む。
【００１９】
参照信号を処理するためのシステムが、
指定されたパイロット位置でターゲットUEに参照信号を送るように構成された参照信号を処理するための装置であって、指定されたパイロット位置が、UEのCoMPセット内の別のセルの参照信号パイロット位置から直交に分離され、および/または送られたデータシンボルに対してデータパンクチャリングを実施するように構成され、データパンクチャリングされた位置が、CoMPセット内の別のセルの少なくとも1つの参照信号パイロット位置に対応する、参照信号を処理するための装置と、
指定されたパイロット位置で参照信号を受信するように構成されたUEであって、指定されたパイロット位置に対応する位置でサービスを提供するCoMPセット内の別のセルの参照信号に対してデータパンクチャリングが実施され、また別のセルのデータシンボルのデータパンクチャリングされた位置を検出せずに、対応するダウンリンクチャネルを検出し、参照信号に従って測定するように構成されたUEとを含み、
別のセルが、指定されたパイロット位置に対応するセル以外のセルである。
【００２０】
本発明の諸実施形態による参照情報の処理の解決策には、以下の有益な効果がある。複数のセルのダウンリンク参照信号が互いに直交し、その結果、複数のセルの異なる参照信号が互いに衝突することが防止され;指定されたパイロット位置に対応する位置で別のセルからのデータシンボルに対してデータパンクチャリングが実施され、その結果、別のセルのデータシンボルからの干渉が回避され、複数のセルのダウンリンクチャネルの測定精度が向上され、それによって、CoMPシナリオにおいてUEが複数のセルのダウンリンクチャネルを測定することを可能にする要件が満たされる。
【００２１】
本発明の諸実施形態または従来技術の技術的解決策をより明らかにするために、諸実施形態または従来技術の説明で用いられる添付の図面について、以下に簡潔に述べられる。明らかに、添付の図面は、本発明のいくつかの例示的な実施形態を示すものにすぎず、当業者は、創造的な努力なしに添付の図面に基づいて他の添付の図面を得ることができる。
【図面の簡単な説明】
【００２２】
【図１】無線通信システムのシナリオの概略図である。
【図２】従来技術によるCRSパイロット位置の概略図である。
【図３】本発明の第1の実施形態による、ネットワーク側で参照信号を処理するための方法の概略フローチャートである。
【図４】本発明の第1の実施形態による、ネットワーク側で参照信号を処理するための装置の概略構造図である。
【図５】本発明の第2の実施形態による、ユーザ側で参照信号を処理するための方法の概略フローチャートである。
【図６】本発明の第2の実施形態による、ユーザ側で参照信号を処理するための装置の概略構造図である。
【図７】本発明の第3の実施形態による、参照信号を処理するための方法の概略フローチャートである。
【図８】本発明の第3の実施形態による、CoMPセット内のセルの参照信号パイロット位置の概略図である。
【図９】本発明の第3の実施形態による、CoMPセット内のセルによって送られたデータシンボルのパンクチャリングの概略図である。
【図１０】本発明の第3の実施形態による、ネットワーク側で参照信号を処理するための装置の概略構造図である。
【図１１】本発明の第3の実施形態による、ユーザ側で参照信号を処理するための装置の概略構造図である。
【図１２】本発明の第4の実施形態による、参照信号を処理するためのシステムの概略図である。
【図１３】本発明の第5の実施形態による、第1のタイプの参照信号ポートによって占有されたリソースの概略図である。
【図１４】本発明の第5の実施形態による、第2のタイプの参照信号ポートによって占有されたリソースの概略図である。
【発明を実施するための形態】
【００２３】
本発明の諸実施形態の技術的解決策について、本発明の諸実施形態の添付の図面を参照して、以下に明確かつ完全に述べられる。述べられた諸実施形態は、本発明のすべての実施形態ではなく、本発明のいくつかの例示的な実施形態にすぎずないことが明らかである。本発明の諸実施形態に基づいて創造的な努力なしに当業者が得る他のすべての実施形態もまた、本発明の保護の範囲内にある。さらに、下記の実施形態は、本発明のオプションの解決策であり、諸実施形態の順序および順序番号は、その好ましい実行順序とは無関係である。
【００２４】
実施形態1
この実施形態は、ネットワーク側で展開されるのに適している、参照信号を処理するための方法を提供する。図3に示されたように、この方法は、以下を含む。
【００２５】
ステップ101:セルが属するeNBが、指定されたパイロット位置でターゲットUEに参照信号を送り、指定されたパイロット位置に対応する位置で、このセルが属するCoMPセット内の別のセルのeNBによって同時に送られるデータシンボルに対してデータパンクチャリングが実施される。
【００２６】
指定されたパイロット位置は、CoMPセット内の別のセルの参照信号パイロット位置から直交に分離され、別のセルは、指定されたパイロット位置に対応するセル以外のセルである。すなわち、CoMPセットは、指定されたパイロット位置に対応するセル、および別のセルからなる。
【００２７】
上記方法に対応して、この実施形態はさらに、参照信号を処理するための装置を提供する。図4に示されたように、この装置は、送信モジュール11と、パンクチャリングモジュール12とを含む。
【００２８】
送信モジュール11は、指定されたパイロット位置でターゲットUEに参照信号を送るように構成され、指定されたパイロット位置が、UEが属するCoMPセット内の別のセルの参照信号パイロット位置から直交に分離され、CoMPセット内の別のセルが属するeNBがそれぞれのデータシンボルを送るとき、パンクチャリングモジュール12は、送られたデータシンボルに対してデータパンクチャリングを実施するように構成され、データパンクチャリングされた位置が、CoMPセット内の別のセルの少なくとも1つの参照信号パイロット位置に対応する。
【００２９】
本発明のこの実施形態による参照信号を処理するための方法および装置は、以下の技術的解決策を採用する。複数のセルのダウンリンク参照信号が互いに直交であり、データパンクチャリングが、別のセルの参照信号パイロット位置で実施され、それは、従来技術のCoMPシナリオ内でそれぞれ異なるセルの参照信号間の衝突の技術的問題を解決し、別のセルのデータシンボルの干渉を回避し、複数のセルのダウンリンクチャネルの測定精度を向上させ、それによって、CoMPシナリオにおいて複数のセルのダウンリンクチャネルの測定を実施する要件が満たされる。
【００３０】
実施形態2
この実施形態は、ユーザ側で展開されるのに適している、参照信号を処理するための方法を提供する。図5に示されたように、この方法は、以下を含む。
【００３１】
ステップ201:UEが、指定されたパイロット位置で参照信号を受信し、指定されたパイロット位置に対応する位置でサービスを提供するCoMPセット内の別のセルのデータシンボルに対して、データパンクチャリングがそれぞれ実施される。
【００３２】
指定されたパイロット位置は、別のセルの参照信号パイロット位置から直交に分離され、別のセルは、指定されたパイロット位置に対応するセル以外のセルである。
【００３３】
ステップ202:UEは、別のセルのデータシンボルのデータパンクチャリングされた位置に対するデータ検出を実施せずに、対応するダウンリンクチャネルを検出し、参照信号に従って測定する。
【００３４】
データパンクチャリングされた位置について、UEは、この位置でデータシンボルが送信されないことを考慮し、UEの受信機は、この位置のデータ検出を実施せず、したがって、別のセルのデータシンボルからの干渉の問題はない。
【００３５】
上記方法に対応して、この実施形態はさらに、参照信号を処理するため装置を提供し、具体的には、この装置は、UEであってよい。図6に示されたように、UEは、受信モジュール21と、測定モジュール22とを含む。
【００３６】
受信モジュール21は、指定されたパイロット位置で参照信号を受信するように構成され、指定されたパイロット位置に対応する位置でサービスを提供するCoMPセット内の別のセルのデータシンボルに対してデータパンクチャリングがそれぞれ実施され、指定されたパイロット位置が、別のセルの参照信号パイロット位置から直交に分離され、別のセルが、指定されたパイロット位置に対応するセル以外のセルであり、測定モジュール22は、別のセルのデータシンボルのデータパンクチャリングされた位置を検出せずに、対応するダウンリンクチャネルを検出し、受信モジュール21によって受信された参照信号に従って測定するように構成される。
【００３７】
この実施形態による参照信号を処理するための方法および装置には、以下の有益な効果がある。複数のセルの参照信号が互いに直交に分離され、その結果、複数のセルの異なる参照信号間の衝突の問題を回避することができ、一方、別のセルの参照信号パイロット位置に対してデータパンクチャリングが実施されるので、UEは、信号を受信するとき、別のセルのデータシンボルからの干渉を受けない。したがって、以下の技術的効果が達成される。ダウンリンクチャネルの測定精度が向上され、UEは、CoMPシナリオにおいて複数のセルのダウンリンクチャネルを測定することができる。
【００３８】
実施形態3
図1に示されたダウンリンク無線通信システムのシナリオに関連して、この実施形態は、具体的には、参照信号を処理するための方法を提供する。
【００３９】
この方法は、ネットワーク側のeNBおよびユーザ側のUEに関する。図1に示されたシナリオでは、それぞれ無線eNB 1、eNB 2およびeNB 3に対応するセル1、セル2およびセル3、ならびにUE1が含まれている。セル1は、UE 1のサービングセルであり、セル1、セル2およびセル3は共に、UE 1のCoMPセットを形成する。さらに、eNBsが互いにネゴシエートし対話した後にのみCoMPセットが形成されるので、形成されたCoMPセット内のセルはそれぞれ、各セルがどのCoMPセットに属するか、CoMPセットにどのセルが含まれるか、およびサービスされるUEを知っている。
【００４０】
図7に示されたように、この方法は、具体的には、以下を含む。
【００４１】
ステップ301:CoMPセット内のセルが属するeNBは、eNBs間のインターフェース(X2インターフェースおよび共通公衆無線インターフェース(CPRI:Common Public Radio Interface))を介してそれぞれの参照信号パイロット位置に関してCoMPセット内の別のセルとネゴシエートし、ネゴシエーションの後のセルの参照信号パイロット位置は、時間周波数領域多重化モードで直交に互いに分離される。ネゴシエーションによってそれ自体の参照信号パイロット位置を取得した後、セルは、それ自体の参照信号パイロット位置を含む情報を、CoMPセット内の別のセルに送る。
【００４２】
ここで、この実施形態では、参照信号としてチャネル状態情報参照信号(CSI-RS)が特に使用されることに留意されたい。この参照信号は、小さいオーバーヘッド(最大8つの参照信号の合計オーバーヘッドがダウンリンクリソースの1%未満である)、および長い周期(5個または10個のサブフレーム)によって特徴付けられる。したがって、この実施形態では、参照信号はCSI-RSであり、参照信号パイロット位置は、CSI-RSである。さらに、ステップ301でネゴシエートされる参照信号パイロット位置は、参照信号のパイロット時間と、パイロット座標とを含む。パイロット時間は、パイロット周期(5個また10個のサブフレーム)と、オフセットとを含み、パイロット座標は、横座標のシンボルと、縦座標の副搬送波とを含む。
【００４３】
この実施形態では、ステップ301は具体的には、以下のとおりである。セル2が属するeNB 2が、UE 1にCSI-RSを送り、その前に、eNB 2が、それぞれのCSI-RSパイロット位置に関してeNB 1およびeNB 3とネゴシエートする必要があり、ネゴシエーションの後、それぞれのCSI-RSパイロット位置が、時間周波数領域多重化モードで直交に分離されると仮定する。交渉によってそれ自体の参照信号パイロット位置を得た後に、セル2は、それ自体の参照信号パイロット位置を含む情報を、セル1が属するeNB 1、およびセル2が属するeNB 2に送る。
【００４４】
この実施形態では、5つのサブフレームのパイロット周期を例に挙げて、図8にネゴシエーションの後のセル1、セル2およびセル3のそれぞれのCSI-RSパイロット位置が示される。図8から分かるように、各セルの周期は5サブフレームであり、セルの縦座標副搬送波の位置は同じであり、すなわち第3と第4、また第9と第10の位置は同じである。すなわち、同じ副搬送波が、伝送に使用される。セル1のCSI-RSパイロット位置は、オフセット1(すなわち第2のサブフレーム)、横座標で第10および第11のシンボルの位置であり、セル2のCSI-RSパイロット位置は、オフセット2(すなわち第3のサブフレーム)であり、それは、横座標で第10および第11のシンボルの位置でもあり、セル3のCSI-RSパイロット位置は、オフセット4(すなわち第4のサブフレーム)、横座標で第10および第11のシンボルの位置である。
【００４５】
業界ではCSI-RSおよびCRSのうちの1つしか使用できないと規定されているので、この実施形態は、CSI-RSを用いており、図8のCRSパイロット位置は、リソースのこの部分が占有されていることを示すために使用されていることに留意されたい。さらに、図8の他の参照信号はすべて従来技術で使用されているリソースであり、この実施形態の図8で、リソースのこの部分がやはり占有されていることを示すために使用されている。
【００４６】
図8から分かるように、セル1、セル2およびセル3のそれぞれのCSI-RSパイロット位置は、時間領域および周波数領域で直交に分離されており、その結果、それぞれ異なるセルのCSI-RSが互いに衝突せず、またCSI-RSが互いに干渉しないことが保証される。CSI-RSの長い周期の特性によって、複数のセルのCSI-RSを収容するための互いに直交するより多くのリソースが提供され、これらのCSI-RSが互いに衝突しないことが保証されることを指摘しておく。
【００４７】
この実施形態では、セル2が属するeNB 2がUE 1にCSI-RSを送ると仮定されるので、セル1のCSI-RSパイロット位置は、指定されたパイロット位置であり、それ自体の参照信号パイロット位置でもある。したがって、セル1のパイロット時間およびパイロット座標は、現在のパイロット時間および現在のパイロット座標である。セル1のCSI-RSは、参照信号であり、eNB 2がセル2のCSI-RSを送るとき、セル1が属するeNB 1が、セル1のデータシンボルを同時に送り、セル3が属するeNB 3が、セル3のデータシンボルを同時に送る。
【００４８】
ステップ302:セルが属するeNBは、eNBによってサービスされたUEに、セルの参照信号パイロット位置、すなわちCSI-RSパイロット位置を通知する。
【００４９】
具体的には、セル2を例に挙げると、セル2が属するeNB 2は、セル2の指定されたパイロット位置をUE 1に通知する。
【００５０】
通知方法は、下記方法のうちのいずれか1つであってよい。
【００５１】
第1の方法:eNB 2は、セル2-IDを含む情報をUE 1に送り、セル2-IDが、セル2の指定されたパイロット位置にバインドされ、すなわちセル2-IDは、暗黙のマッピングによって、指定されたパイロット位置にマッピングすることができる。
【００５２】
第2の方法:eNB 2は、セル2-IDと、CoMPセットの共通の特徴に関連する仮想のIDとを含む情報をUE1に送り、セル2-IDおよび仮想IDが、セル2の指定されたパイロット位置にバインドされ、すなわち、セル2-IDおよび仮想IDは、暗黙のマッピングによって、指定されたパイロット位置にマッピングすることができる。共通の特徴は、CoMPセット内のすべてのセルの同じ周期または同じポート数であることも、CSI-RS多重化を実施するためにセル内で同じ符号分割多重化(CDM:code division multiplexing)手法が使用されるかどうかであってもよい。
【００５３】
第3の方法:eNB 2は、指定されたパイロット位置を含む上位層シグナリングをUE 1に送る。
【００５４】
ここで、ステップ301およびステップ302の実行順序は、この実施形態で述べられた順序に限定されず、ステップ302は、ステップ301の前に実行されてもよいし、2つステップが、さらに同時に実行されてもよいことに留意されたい。
【００５５】
ステップ303:UEは、少なくとも1つのセルのCSI-RSパイロット位置を取得する。
【００５６】
このステップは、具体的には、UE 1がセル1およびセル2のCSI-RSパイロット位置をそれぞれ取得するということであってよい。
【００５７】
ステップ302の3つの通知方法に関して、ステップ303は、具体的には以下の例に述べられた3つの方法によってCSI-RSパイロット位置を取得することができる。同様に、セル2を例に挙げる。
【００５８】
第1の方法:セル2-IDを受信し、セル2のCSI-RSパイロット位置を得るために、セル2-IDに対してモジュロ演算を実施する。
【００５９】
具体的には、モジュロ演算手順は、具体的には、従来技術のセル1-IDに対するモジュロ演算に従ってCRSパイロット位置を取得するための手順に類似することがあり、それについては、ここでは繰返し述べられない。
【００６０】
第2の方法:セル2-IDおよびセル2の仮想IDを受信し、仮想IDおよびセル1-IDを計算することによってセル2のCSI-RSパイロット位置を取得する。
【００６１】
具体的な手順は以下であってよい。セル2の受信された仮想IDが0であり、セル2-IDが4であると仮定すると、UEは、下記の演算を使用することによってセル2のCSI RSパイロット位置を見つけることができる。
仮想ID mod 2=0
ただし、2は、周期の2つの可能性、10サブフレームおよび5サブフレームがあることを示し、結果0は、周期が5サブフレームであることを示している。
セル2-ID mod 12=4
ただし、12は、(5つのサブフレームの第1のサブフレームが一般に使用不可能であり、合計4つのサブフレームが使用可能であり、各サブフレームに3つの可能なCSI-RS位置があり、したがって、合計で12個の可能な位置があるので)CSI-RSの4×3=12個の可能な位置があることを示しており、結果4は、0から始めて第4の位置を示しており、第1のサブフレームの位置が0、1および2であり、第2のサブフレームの位置が3、4および5であるので、4は、第2のサブフレーム内の第2の位置を示す。
【００６２】
したがって、セル2の参照信号パイロット位置は、5サブフレームの周期において、オフセット2、第2の位置である。
【００６３】
第3の方法:eNB2から、セル2のCSI-RSパイロット位置を含む上位層シグナリングを受信する。
【００６４】
ステップ301からステップ303は、セルが属するeNBがCSI-RSを送る前の準備であると見なすことができる。参照信号は周期的に送られるが、上記ステップでセルによってネゴシエートされるCSI-RSパイロット位置、ならびにUEによって取得され、各CSI-RSパイロット位置にバインドされるセルIDおよび仮想IDは一般に変化しないままであり、したがって、CSI-RSの周期的な送信で再設定また変更される必要はない。
【００６５】
ステップ304:セルが属するeNBが、指定されたパイロット位置で、UEにCSI-RSを送り、同時に、同じCoMPセット内の別のセルが属するeNBもまた、それぞれのデータシンボルを送り、指定されたパイロット位置に対応する位置で、各eNBによって送られたデータシンボルに対してデータパンクチャリングが実施される。
【００６６】
ステップ301から分かるように、セルの指定されたパイロット位置、および別のセルのCSI-RSパイロット位置は、時間領域および周波数領域において直交に分離される。
【００６７】
具体的には、ステップ304は、以下である。セル2が属するeNBが、指定されたパイロット位置で、1次CSI-RSを送り、同時に、セル1が属するeNBが、データシンボルを送り、セル2の指定されたパイロット位置に対応する位置で、セル1のデータシンボルに対してデータパンクチャリングが実施され、同様に、セル3が属するeNB 3が、同時にデータシンボルを送り、セル2の指定されたパイロット位置に対応する位置で、セル3のデータシンボルに対してデータパンクチャリングが実施される。上記説明は、図9によって表すことができる。
【００６８】
ステップ305:UEは、指定されたパイロット位置で、対応するセルからCSI-RSを受信し、データシンボル内のデータパンクチャリングされた位置に対するデータ検出を実施せずに、CSI-RSに従って、対応するダウンリンクチャネルを測定する。
【００６９】
データパンクチャリングされた位置について、UEは、この位置でデータシンボルが送信されないことを考慮し、UEの受信機は、この位置のデータ検出を実施せず、したがって、別のセルのデータシンボルからの干渉の問題はない。
【００７０】
具体的には、ステップ305は、以下であってよい。UE 1は、指定されたパイロット位置で、eNB 2からのCSI-RS、eNB 1からのデータパンクチャリングされたデータシンボル、およびeNB 3からのデータパンクチャリングされたデータシンボルを受信する。UE 1は、1次CSI-RSに従ってセル2のダウンリンクチャネルを測定し、UE 1の受信機は、セル1およびセル3のデータシンボル内のデータパンクチャリングされた位置に対するデータ検出を実施せず、その結果、セル2のダウンリンクチャネルが測定されるとき、セル1およびセル3のデータシンボルからの干渉はない。
【００７１】
参照信号を処理するための上記方法について、セルのうちの1つを例に挙げることによって具体的に述べられ、別のセルの参照信号を処理するための手順は、この実施形態の方法に類似する。具体的な実装方法は、当業者によって、上記説明に従って容易に導き出すことができ、したがって、ここではさらに述べられない。
【００７２】
上記方法に対応して、この実施形態はさらに、ネットワーク側に関する上記方法の部分の実装を容易にするeNBを提供する。図10に示されたように、eNBは、送信モジュール91と、パンクチャリングモジュール92とを含む。
【００７３】
送信モジュール91は、指定されたパイロット立場で、ターゲットUEに参照信号を送るように構成され、指定されたパイロット位置が、UEが属するCoMPセット内の別のセルの参照信号パイロット位置から直交に分離され、パンクチャリングモジュール92は、送られたデータシンボルに対してデータパンクチャリングを実施するように構成され、データパンクチャリングされた位置が、CoMPセット内の別のセルの少なくとも1つの参照信号パイロット位置に対応する。
【００７４】
さらに、この実施形態のeNBは、以下のオプションのモジュール、取得モジュール93および通知モジュール94をも含む。
【００７５】
取得モジュール93は、CoMPセット内の別のセルの参照信号パイロット位置を取得するように構成され、通知モジュール94は、指定されたパイロット位置をターゲットUEに通知するように構成される。
【００７６】
取得モジュール93は、ネゴシエーションユニット931と、通知ユニット932とを含む。
【００７７】
ネゴシエーションユニット931は、CoMPセット内の別のセルが属するeNBと参照信号パイロット位置についてネゴシエートするように構成され、ネゴシエーション後のセルの参照信号パイロット位置は、時間周波数領域多重化モードで直交に分離され、通知ユニット932は、CoMPセット内の別のセルが属するeNBsにセルの参照信号パイロット位置を含む情報を送るように構成される。
【００７８】
指定されたパイロット位置は、ネゴシエーションユニット931によって実施されたネゴシエーションの後のセルの参照信号パイロット位置である。
【００７９】
この実施形態では、通知モジュール94は、下記のユニット、第1の送信ユニット941と、第2の送信ユニット942と、第3の送信ユニット943とを含む。
【００８０】
第1の送信ユニット941は、セルIDを含む情報をターゲットUEに送るように構成され、セルIDが、指定されたパイロット位置にバインドされ、第2の送信ユニット942が、セルIDと、CoMPの共通の特徴に関連する仮想IDとを含む情報をターゲットUEに送るように構成され、セルIDおよび仮想IDは、指定されたパイロット位置にバインドされ、第3の送信ユニット943が、指定されたパイロット位置を含む上位層のシグナリングをターゲットUEに送るように構成される。
【００８１】
上記モジュールで言及された参照信号は、CSI-RSであり、上記モジュール内の指定されたパイロット位置は、現在のパイロット時間と、現在のパイロット座標とを含み、上記モジュールの参照信号パイロット位置は、パイロット時間と、パイロット座標とを含む。
【００８２】
したがって、この実施形態はさらに、上記方法のユーザ側に関する部分の実装を容易にするUEを提供する。図11に示されたように、UEは、受信モジュール95と、測定モジュール96とを含む。
【００８３】
受信モジュール95は、指定されたパイロット位置で、参照信号を受信するように構成され、指定されたパイロット位置に対応する位置でサービスを提供するCoMPセット内の別のセルのデータシンボルに対してデータパンクチャリングが実施され、指定されたパイロット位置が、別のセルの参照信号パイロット位置から直交に分離され、測定モジュール96は、別のセルのデータシンボルのデータパンクチャリングされた位置を検出せずに、対応するダウンリンクチャネルを検出し、受信モジュール95によって受信された参照信号に従って測定するように構成される。
【００８４】
別のセルは、指定されたパイロット位置に対応するセル以外のセルである。
【００８５】
さらに、この実施形態は、下記のオプションのモジュール、取得モジュール97をも含む。取得モジュール97は、少なくとも1つのセルの参照信号パイロット位置を取得するように構成され、少なくとも1つのセルが、サービスを提供するCoMPセットに属する。
【００８６】
さらに、この実施形態では、取得モジュール97は、第1の取得ユニット971と、第2の取得ユニット972とを含む。
【００８７】
第1の取得ユニット971は、少なくとも1つのセルのセルIDを取得するように構成され、第2の取得ユニット972は、セルIDに対してモジュロ演算を実施することによって、少なくとも1つの対応する参照信号パイロット位置を取得するように構成される。
【００８８】
指定されたパイロット位置は、第2の取得ユニット972によって得られた少なくとも1つの参照信号パイロット位置のうち、参照信号が現在受信されているいずれかの参照信号パイロット位置である。
【００８９】
あるいは、取得モジュール97は、第3の取得ユニット973および第4の取得ユニット974だけを含み、または取得モジュール97は、第3の取得ユニット973および第4の取得ユニット974をも含む。
【００９０】
第3の取得ユニット973は、少なくとも1つのセルのセルID、およびCoMPセットの共通の特徴に関連する仮想IDを取得するように構成され、第4の取得ユニット974は、少なくとも1対の仮想IDとセルIDに対して計算を実施することによって少なくとも1つの対応する参照信号パイロット位置を取得するように構成される。
【００９１】
指定されたパイロット位置は、第4の取得ユニット974によって得られた少なくとも1つの参照信号パイロット位置のうち、参照信号が現在受信されているいずれかの参照信号パイロット位置である。
【００９２】
あるいは、取得モジュール97は、第1の受信ユニット975だけを含み、または取得モジュール97は、参照信号パイロット位置を含む上位層のシグナリングの少なくとも一部分を受信するように構成された第1の受信ユニット975をも含む。
【００９３】
指定されたパイロット位置は、第1の受信ユニット975によって受信された少なくとも1つの参照信号パイロット位置のうち、参照信号が現在受信されているいずれかの参照信号パイロット位置である。
【００９４】
さらに、上記モジュールで言及された参照信号は、CSI-RSであり、上記モジュールで指定されたパイロット位置は、現在のパイロット時間と、現在のパイロット座標とを含み、上記モジュール内の参照信号パイロット位置は、パイロット時間と、パイロット座標とを含む。
【００９５】
本発明のこの実施形態で提供された解決策には、以下の有益な効果がある。従来技術ではUEがサービングセルのセルIDに従って参照信号パイロット位置しか取得できないという技術的問題が解決され、この実施形態の解決策では、UEは、UEにサービスするCoMPセット内のすべてのセルの参照信号パイロット位置を取得することができ、したがって、UEは、複数のセルの参照信号を取得し、参照信号に従って、対応するダウンリンクチャネルを測定することもでき、複数のセルのダウンリンク参照信号は互いに直交しており、その結果、複数のセルの異なる参照信号間の衝突を回避することができ、データパンクチャリングが、別のセルの参照信号パイロット位置で実施され、その結果、別のセルのデータシンボルからの干渉が回避され、それによって、複数のセルのダウンリンクチャネルの測定精度が向上され、それは、CoMPシナリオにおいてUEが複数のセルのダウンリンクチャネルを測定することを可能にする要件を満たす。
【００９６】
実施形態4
この実施形態は、参照信号を処理するためのシステムを提供する。図12に示されたように、このシステムは、eNB 41と、UE 42とを含む。
【００９７】
eNB 41は、指定されたパイロット位置で、ターゲットUE 42に参照信号を送るように構成され、指定されたパイロット位置が、UE 42が属するCoMPセット内の別のセルの参照信号パイロット位置から直交に分離され、eNB 41は、送られたデータシンボルに対してデータパンクチャリングを実施するようにも構成され、データパンクチャリングされた位置が、CoMPセット内の別のセルの少なくとも1つの参照信号パイロット位置に対応する。UE 42は、指定されたパイロット位置で、eNB 41から参照信号を受信するように構成され、指定されたパイロット位置に対応する位置でサービスを提供するCoMP内の別のセルのデータシンボルに対してデータパンクチャリングが実施され、また別のセルのデータシンボルのデータパンクチャリングされた位置を検出せずに、対応するダウンリンクチャネルを検出し、参照信号に従って測定するように構成される。
【００９８】
別のセルは、指定されたパイロット位置に対応するセル以外のセルである。
【００９９】
この実施形態で提供される参照信号を処理するためのシステムは、以下の技術的解決策を採用する。複数のセルの参照信号が直交に分離され、データパンクチャリングが、別のセルの参照信号パイロット位置に対して実施され、それは、複数のセルの異なる参照信号が互いに衝突し干渉し、従来技術では信号を受信するときにUEが別のセルのデータシンボルからの干渉を受けるという技術的問題を解決し、それによって、ダウンリンクチャネルの測定精度を向上させ、CoMPシナリオにおいてUEが複数のセルのダウンリンクチャネルを測定することを可能にするという技術的効果を達成する。
【０１００】
実施形態5
この実施形態は、参照信号を処理するためのシステムを提供する。このシステムは、eNBと、UEとを含む。
【０１０１】
eNBは、合計8つのCSI-RSポートを有する。eNBは、8つのCSI-RSポートを2つの部分に分割し、それぞれの部分が4つのCSI-RSポートを含み、各ポートが、指定されたパイロット位置で、5つのサブフレームのパイロット周期でターゲットUEにCSI-RSパイロット信号を送り(すなわち、各ポートがそのCSI-RSを送る周期がパイロット周期と同じであり)、各CSI-RSポートによってそのCSI-RSを送るために使用されるパイロット位置は、セルIDにバインドすることによってUEに通知することができる(この実施形態では、パイロット位置は、5サブフレーム周期の第2のサブフレームである)。CSI-RSポートの2つの部分は、間隔をおいてそれぞれのCSI-RSを送り、すなわち、CSI-RSポートのうちのいずれか1つについて、対応するCSI-RSを送る実際の周期は、10サブフレームになる。図13に示されたように、セル1を例にとり、セル1が属するeNBがこの実施形態のeNBであると仮定する。
【０１０２】
eNBは、指定されたパイロット位置で、第1のパイロット周期(すなわち最初の5サブフレーム)に最初の4つのCSI-RSポートを介して最初の4つのCSI-RSポートに対応するCSI-RSを送るように構成され、eNBは、指定されたパイロット位置で、第2のパイロット周期に後続の4つのCSI-RSポートを介して後続の4つのCSI-RSポートに対応するCSI-RSを送るようにも構成される。CSI-RSは、これと同様に交互に周期的に送られ、いずれかのパイロット周期に、指定されたパイロット位置が、UEが属するCoMP内の別のセルの参照信号パイロット位置から直交に分離され、eNBは、送られたデータシンボルに対してデータパンクチャリングを実施するようにも構成され、データパンクチャリング位置が、CoMPセット内の別のセルの少なくとも1つの参照信号パイロット位置に対応する。
【０１０３】
UEは、指定されたパイロット位置で、第1のパイロット周期にeNBの最初の4つのCSI-RSポートからCSI-RSを受信し、第2のパイロット周期に、指定されたパイロット位置で、eNBの後続の4つのCSI-RSポートからCSI-RSを受け取るように構成される。このように、必要なCSI-RSが、交互に周期的に受信されてよい。いずれかのパイロット周期に、データパンクチャリングが、指定されたパイロット位置に対応する位置でサービスを提供するCoMP内の別のセルのデータシンボルに対して実施される。さらに、UEは、別のセルのデータシンボルのデータパンクチャリングされた位置を検出せずに、対応するダウンリンクチャネルを検出し、参照信号に従って測定するように構成される。
【０１０４】
あるいは、eNBは、合計8つのCSI-RSポートを有しており、eNBは、周期に従って8つのCSI-RSポートを2つの部分に分割する。第1の部分は、5サブフレームの周期でCSI-RSを送るCSI-RSポートであり、別の部分は、10サブフレームの周期でCSI-RSを送るCSI-RSポートである。2つの部分の両方が、指定されたパイロット位置でターゲットUEにCSI-RSパイロット信号を送り、セルのパイロット周期は、やはり5サブフレームである。
【０１０５】
各CSI-RSポートによって占有されたリソースの状態に従って、各ポートによって占有されたリソースを含む情報が、UEに送られてよい。たとえば、最初の4つのCSI-RSポートが周期として5サブフレームを要し、1つのパイロット周期に6つのリソース要素(RE)が占有され、4つのREが次のパイロット周期に占有され、REが、図8で最小のブロックであり;後続の4つのCSI-RSポートが周期として10サブフレームを要し、各パイロット周期に6つのREが占有されると仮定する。この時、UEについて、各パイロット周期に検出されたCSI-RSポートはそれぞれ異なり、したがって、UEは、各パイロット期間に参照信号を送るのにどのリソースが使用されるかについて通知を受ける必要がある。図14に示されたように、セル1を例として挙げ、セル1が属するeNBがこの実施形態のeNBであると仮定する。
【０１０６】
eNBは、指定されたパイロット位置で、第1のパイロット周期(すなわち最初の5つのサブフレーム)に、8つのCSI-RSポートを介して8つのCSI-RSポートに対応するCSI-RSを送るように構成され、eNBは、指定されたパイロット位置で、第2のパイロット周期に4つのCSI-RSポートを介して後続の4つのCSI-RSポートに対応するCSI-RSを送るようにも構成される。CSI-RSは、これと同様に交互に周期的に送られ、いずれかのパイロット周期に、指定されたパイロット位置が、UEが属するCoMP内の別のセルの参照信号パイロット位置から直交に分離され、eNBは、送られたデータシンボルに対してデータパンクチャリングを実施するようにも構成され、データパンクチャリングされた位置が、CoMPセット内の別のセルの少なくとも1つの参照信号パイロット位置に対応する。
【０１０７】
UEは、指定されたパイロット位置で、第1のパイロット周期にeNBの8つのCSI-RSポートからCSI-RSを受信し、指定されたパイロット位置で、第2のパイロット周期に、eNBの後続の4つのCSI-RSポートからCSI-RSを受け取るように構成される。このように、必要なCSI-RSが、交互に周期的に受信されてよい。いずれかのパイロット周期に、データパンクチャリングが、指定されたパイロット位置に対応する位置のサービスを提供するCoMP内の別のセルのデータシンボルに対して実施される。さらに、UEは、別のセルのデータシンボルのデータパンクチャリングされた位置を検出せずに、対応するダウンリンクチャネルを検出し、参照信号に従って測定するように構成される。
【０１０８】
この実施形態で提供される参照信号を処理するためのシステムは、複数のセルの異なる参照信号が互いに衝突し干渉し、従来技術では信号を受信するときにUEが別のセルのデータシンボルから干渉を受けるという技術的問題を解決し、それによって、ダウンリンクチャネルの測定精度を向上させ、CoMPシナリオにおいてUEが複数のセルのダウンリンクチャネルを測定することを可能にするという技術的効果を達成する。一方、この実施形態の技術的解決策では、参照信号ポートは、それぞれの参照信号を送るのにそれぞれ異なる周期を使用し、それは、従来技術では参照信号が1つのパイロット周期に複数の参照信号ポートを介して送られることによって引き起こされる大きいオーバーヘッドの技術的問題を解決する。
【０１０９】
上記の諸実施形態についての説明を通して、本発明は、ソフトウェアおよび必要な汎用ハードウェアプラットフォームによって実装されてもよいし、ハードウェアだけによって実装されてもよいが、多くの場合に前者が好まれることが当業者には明らかに理解されよう。こうした理解に基づいて、本発明の技術的解決策、または従来技術に寄与する部分は、ソフトウェア製品の形で具現化されてよい。コンピュータソフトウェア製品は、コンピュータのフロッピー（登録商標）ディスク、ハードディスクまたはコンパクトディスク読取り専用メモリ(CD-ROM:Compact Disk-Read Only Memory)など、読取り可能記憶媒体に格納され、本発明の各実施形態に述べられた方法を実行するように装置(無線ネットワーク制御装置であってよい)に指示する複数の命令を含む。
【０１１０】
上記では本発明の例示的な実施形態についてだけ詳述されているが、本発明の保護範囲は、それに限定されない。本明細書に開示された技術の範囲内で当業者によって容易に考えられるどんな修正または置換も、本発明の保護範囲内に含まれる。したがって、本発明の保護範囲は、添付の特許請求の範囲に従う。
【符号の説明】
【０１１１】
11  送信モジュール
12  パンクチャリングモジュール
21  受信モジュール
22  測定モジュール
41  eNB
42  UE
91  送信モジュール
92  パンクチャリングモジュール
93  取得モジュール
94  通知モジュール
95  受信モジュール
96  測定モジュール
97  取得モジュール
931  ネゴシエーションユニット
932  通知ユニット
941  第1の送信ユニット
942  第2の送信ユニット
943  第3の送信ユニット
971  第1の取得ユニット
972  第2の取得ユニット
973  第3の取得ユニット
974  第4の取得ユニット
975  第1の受信ユニット
【図１】
0005527780.tif 000002
【図２】
0005527780.tif 000003
【図３】
0005527780.tif 000004
【図４】
0005527780.tif 000005
【図５】
0005527780.tif 000006
【図６】
0005527780.tif 000007
【図７】
0005527780.tif 000008
【図８】
0005527780.tif 000009
【図９】
0005527780.tif 000010
【図１０】
0005527780.tif 000011
【図１１】
0005527780.tif 000012
【図１２】
0005527780.tif 000013
【図１３】
0005527780.tif 000014
【図１４】
0005527780.tif 000015